【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】
釣り針に刺して魚釣りに用いる釣り餌を収納することができる釣り餌収納具であって、前記釣り餌収納具は、ケース本体の一部に釣り餌を納めることができる窪みを複数カ所有しており、前記窪みの構造と寸法は、１つの窪みに釣り針につける餌の１回分の分量を入れるのに適した構造と寸法であり、前記窪みの上部すなわち前記窪みの開口部がある方の面に面して、前記ケース本体に形成されている少なくとも一部の前記窪みの開口部を覆うことができる蓋を少なくとも１つ設けたことを特徴とする釣り餌収納具。
【請求項２】
請求項１に記載の釣り餌収納具において、少なくとも１つの前記窪みの外周部に、前記窪みの開口部から底の方向に向けて、釣り針の少なくとも針先から餌に差し込まれる部分までの針軸が通過可能なような寸法で設けられた溝が少なくとも１つ設けられていることを特徴とする釣り餌収納具。
【請求項３】
請求項２に記載の釣り餌収納具において、少なくとも１つの前記窪みの外周部に形成されている少なくとも１つの溝が、前記溝の長さ方向に交差する方向の断面形状がケース本体の表面方向の開口部において最も広くて溝の底部に向けて次第に狭くなっている形状である溝と、前記溝の長さ方向に交差する方向の断面形状が円形の一部、三角形、四角形、多角形の１種類またはそれらの複数種類の組み合わせで構成される形状である溝と、前記溝の長さ方向に交差する方向の断面の輪郭形状がＶ字型、Ｕ字型、円弧型、底部に平坦部あるいはＲ部と定義する丸みを帯びた形状の部分があるＶ字型あるいはＵ字型あるいは円弧型を有する形状である溝のいずれかの形状の溝であることを特徴とする釣り餌収納具。
【請求項４】
請求項２または３に記載の釣り餌収納具において、少なくとも１つの前記溝は、当該窪みの前記開口部を覆う平面内の一点から当該溝の最深部に下ろした垂線の長さを当該窪みの深さと定義し、当該窪みの外周部を通る当該窪みの前記開口部を覆う平面内の一点から当該溝の最深部まで測った窪みの深さを溝の深さと定義して、溝の深さが当該窪みの深さの３分の１（１／３）以上の深さであることを特徴とする釣り餌収納具。
【請求項５】
請求項２〜４のいずれか１項に記載の釣り餌収納具において、ケース本体に設けられている前記窪みの少なくとも２つの隣り合った窪みが前記溝を介してつながっていることを特徴とする釣り餌収納具。
【請求項６】
請求項２〜５のいずれか１項に記載の釣り餌収納具において、前記溝に沿って測った長さ寸法を溝の長さと定義して、前記溝の長さが１ｍｍ以上であることを特徴とする釣り餌収納具。
【請求項７】
請求項１〜６のいずれか１項に記載の釣り餌収納具において、前記窪みは、前記窪みの深さ方向の断面の輪郭形状が、当該ケース本体上方から当該窪みの底部の方向に当該底部を含めて切った断面において、円形の一部、三角形、四角形の一部、五角形以上の多角形の一部の１種類または２種類以上の形状を組み合わせた形状を有する形状と、窪みの底部近傍における前記窪みの深さ方向の断面の輪郭形状が、平坦部もしくはＲ部を有する形状の、いずれか１つの形状又はそれらの組み合わされた形状を有する窪みであることを特徴とする釣り餌収納具。
【請求項８】
請求項１〜７のいずれか１項に記載の釣り餌収納具において、前記窪みが設けられている前記ケース本体の表面の形状が、前記窪みの開口部を除いて平面状であることを特徴とする釣り餌収納具。
【請求項９】
請求項１〜８のいずれか１項に記載の釣り餌収納具において、前記窪みが前記ケース本体の少なくとも一部に縦方向あるいは横方向あるいは斜め方向の少なくとも一つの方向に所定間隔で配列されていることを特徴とする釣り餌収納具。
【請求項１０】
請求項１〜９のいずれか１項に記載の釣り餌収納具において、少なくとも１つの前記蓋が、以下においてシールと定義するシート状で前記ケース本体の少なくとも一部に貼り付けることができるシールであることを特徴とする釣り餌収納具。
【請求項１１】
請求項１０に記載の釣り餌収納具において、前記シールが水に対する密閉性を有するシールであることを特徴とする釣り餌収納具。
【請求項１２】
請求項１０または１１に記載の釣り餌収納具において、前記シールが通気性のシールであることを特徴とする釣り餌収納具。
【請求項１３】
請求項１〜１２のいずれか１項に記載の釣り餌収納具において、前記釣り餌収納具の前記ケース本体と蓋の少なくとも一方の少なくとも一方向に、前記ケース本体を、または前記蓋を、または前記ケース本体と前記蓋をともに、それぞれ他の部分から切り離すことができるミシン目をつけたことを特徴とする釣り餌収納具。
【請求項１４】
請求項１〜１３のいずれか１項に記載の釣り餌収納具において、少なくとも一部の前記窪みの内部に、釣り餌の乾燥を調整することができる保湿材を配置したことを特徴とする釣り餌収納具。
【請求項１５】
請求項１〜１４のいずれか１項に記載の釣り餌収納具において、少なくとも一部の前記窪みの内部に保温材を配置したことを特徴とする釣り餌収納具。
【請求項１６】
請求項１〜１５のいずれか１項に記載の釣り餌収納具において、前記釣り餌収納具に収納する餌がイクラであることを特徴とする釣り餌収納具。
【請求項１７】
請求項１〜１５のいずれか１項に記載の釣り餌収納具において、前記釣り餌収納具が、前記窪みとして、そこに収納する餌としてブドウ虫などの虫を一匹入れるのに適した構造と寸法の窪みを有していることを特徴とする釣り餌収納具。
【請求項１８】
請求項１〜１７のいずれか１項に記載の釣り餌収納具において、前記釣り餌収納具が、１つの窪みを被うことができる開閉可能な蓋と、複数の窪みを被うことができる開閉可能な蓋と、１つの窪みを被うことができる開閉可能な窓を有する蓋と、複数の窪みを被うことができる開閉可能な窓を有する蓋と、前記ケース本体を収納する開閉可能な蓋を有する容器の、少なくとも１つを有することを特徴とする釣り餌収納具。
【請求項１９】
請求項１〜１８のいずれか１項に記載の釣り餌収納具において、少なくとも１つの蓋が窓を有しており、少なくとも１つの蓋または窓は、その閉じている状態で、当該ケース本体に設けられた縦または横方向の１列分の窪みを覆うことができる蓋または窓と、１個または複数個の前記窪みを覆うことができる蓋または窓の、少なくとも一方を有しており、かつ、前記蓋または窓の少なくとも１つは開閉可能に設けられていることを特徴とする釣り餌収納具。
【請求項２０】
請求項１〜１９のいずれか１項に記載の釣り餌収納具において、前記ケース本体の外形形状が、円柱状または多角柱状またはそのいずれかの一部を切り取った形状であることを特徴とする釣り餌収納具。
【請求項２１】
請求項１〜２０のいずれか１項に記載の釣り餌収納具において、前記釣り餌収納具は、前記ケース本体の中心付近を通る仮想の軸を回転中心にして回転させることができるように構成されている蓋と、前記ケース本体の必要部分を前記蓋から露出させることができるように、前記ケース本体と前記蓋の相対的位置関係を変えることができるように構成されている蓋のいずれか一方又は双方を有していることを特徴とする釣り餌収納具。
【請求項２２】
請求項１〜２１のいずれか１項に記載の釣り餌収納具において、前記ケース本体と蓋のいずれか一方または双方が、透明あるいは半透明であることを特徴とする釣り餌収納具。
【請求項２３】
請求項１〜２２のいずれか１項に記載の釣り餌収納具において、前記窪みが、一体成型により、板状のケース本体材料から前記窪みの部分を前記窪みの開口部から窪みの底部の方向へ突出させて形成された窪みであることを特徴とする釣り餌収納具。
【手続補正２】
【補正対象書類名】明細書
【補正対象項目名】００２４
【補正方法】変更
【補正の内容】
【００２４】
【課題を解決するための手段】
本発明の目的の達成を図るためになされた本発明の例としての第１の発明（以下、発明１ともいう）の釣り餌収納具は、釣り針に刺して魚釣りに用いる釣り餌を収納することができる釣り餌収納具であって、前記釣り餌収納具は、ケース本体の一部に釣り餌を納めることができる窪みを複数カ所有しており、前記窪みの構造と寸法は、１つの窪みに釣り針につける餌の１回分の分量を入れるのに適した構造と寸法であり、前記窪みの上部すなわち前記窪みの開口部がある方の面に面して、前記ケース本体に形成されている少なくとも一部の前記窪みの開口部を全面的に覆うことができる蓋を少なくとも１つ設けたことを特徴としている。
【手続補正３】
【補正対象書類名】明細書
【補正対象項目名】００２５
【補正方法】変更
【補正の内容】
【００２５】
本発明の例としての、発明１を展開した発明である第２の発明（以下、発明２ともいう）の釣り餌収納具は、発明１に記載の釣り餌収納具において、前記窪みの構造と寸法が、粒状の餌を一粒入れるのに適した構造と寸法であることを特徴としている。
【手続補正４】
【補正対象書類名】明細書
【補正対象項目名】００２６
【補正方法】変更
【補正の内容】
【００２６】
本発明の例としての、発明１または発明２を展開した第３の発明（以下、発明３ともいう）の釣り餌収納具は、発明１または２に記載の釣り餌収納具において、前記窪みの構造と寸法が、１つの窪みに釣り針につける餌としての虫を一匹入れるのに適した構造と寸法であることを特徴としている。
【手続補正５】
【補正対象書類名】明細書
【補正対象項目名】００２７
【補正方法】変更
【補正の内容】
【００２７】
本発明の例としての、発明１〜３を展開した第４の発明（以下、発明４ともいう）の釣り餌収納具は、発明１〜３のいずれかに記載の釣り餌収納具において、前記窪みの外周部に、前記開口部から窪みの底の方向に向けて、釣り針の、少なくとも、針先から餌に差し込まれる部分までの針軸が通過可能なような寸法で設けられた溝が少なくとも１つ設けられていることを特徴としている。
【手続補正６】
【補正対象書類名】明細書
【補正対象項目名】００２８
【補正方法】変更
【補正の内容】
【００２８】
本発明の例としての、発明４を展開した第５の発明（以下、発明５ともいう）の釣り餌収納具は、発明４に記載の釣り餌収納具において、前記溝の長さ方向に交差する方向の断面形状が、ケース本体の表面方向の開口部が最も広く、溝の底部に向けて次第に狭くなっている形状であることを特徴としている。この特徴により、釣り針に前記窪みの中に入れた餌を取り付ける場合、釣り針の先端部と先端部から適当な長さの部分を前記溝に入れて釣り針の先端部を餌の方向へ進めると、釣り針の先端部近傍はこの溝がガイドの役割をして極めて正確にそして素早く餌に到達し、釣り針の先端を餌に正確にそして簡単に刺すことができ、指先をほとんど汚すことなく餌を釣り針に取り付けることができる。
【手続補正７】
【補正対象書類名】明細書
【補正対象項目名】００２９
【補正方法】変更
【補正の内容】
【００２９】
本発明の例としての、発明４または５を展開した第６の発明（以下、発明６ともいう）の釣り餌収納具は、発明４または５に記載の釣り餌収納具において、前記溝の長さ方向に交差する方向の断面の輪郭形状が、円形の一部、三角形、四角形、多角形の１種類またはそれらの複数種類の組み合わせで構成される形状であることを特徴としている。
【手続補正８】
【補正対象書類名】明細書
【補正対象項目名】００３０
【補正方法】変更
【補正の内容】
【００３０】
本発明の例としての、発明４〜６を展開した第７の発明（以下、発明７ともいう）の釣り餌収納具は、発明４〜６のいずれかに記載の釣り餌収納具において、前記溝の長さ方向に交差する方向の断面の輪郭形状が、Ｖ字型、Ｕ字型、円弧型、底部に平坦部あるいはＲ部と定義する丸みを帯びた形状の部分があるＶ字型あるいはＵ字型あるいは円弧型を有する形状であることを特徴としている。
【手続補正９】
【補正対象書類名】明細書
【補正対象項目名】００３２
【補正方法】変更
【補正の内容】
【００３２】
本発明の例としての、発明４〜７を展開した第８の発明（以下、発明８ともいう）の釣り餌収納具は、発明４〜７のいずれかに記載の釣り餌収納具において、少なくとも１つの前記溝は、その開口部の該溝の長さ方向に交差する方向の溝幅寸法が０．２ｍｍ以上であることを特徴としている。
【手続補正１０】
【補正対象書類名】明細書
【補正対象項目名】００３３
【補正方法】変更
【補正の内容】
【００３３】
本発明の例としての、発明４〜８を展開した第９の発明（以下、発明９ともいう）の釣り餌収納具は、発明４〜８のいずれかに記載の釣り餌収納具において、少なくとも１つの前記溝は、当該窪みの前記開口部を覆う平面内の一点から当該溝の最深部におろした垂線の長さを当該窪みの深さと定義して、当該窪みの前記開口部から当該溝の最深部まで窪みの深さの測定と同様の方法で測った深さを溝の深さと定義して、溝の深さが当該窪みの深さの３分の１以上の深さであることを特徴としている。このような溝の効果により、前記ケース本体に前記窪みが３列以上配置されている場合にも、各窪みに収納されている餌に釣り針の針先から餌に入る部分までの軸部を正確に導き、釣り針を餌に容易に確実に刺すことができる。
【手続補正１１】
【補正対象書類名】明細書
【補正対象項目名】００３４
【補正方法】変更
【補正の内容】
【００３４】
本発明の例としての、発明４〜９を展開した第１０の発明（以下、発明１０ともいう）の釣り餌収納具は、発明４〜９のいずれかに記載の釣り餌収納具において、前記溝の深さが当該窪みの深さよりも１ｍｍ以内の値だけ深い深さであることを特徴としている。また、本発明の例としての、発明４〜１０を展開した第１１の発明（以下、発明１１ともいう）の釣り餌収納具は、発明４〜１０のいずれかに記載の釣り餌収納具において、ケース本体に設けられている前記窪みの少なくとも一部の隣り合った前記窪みが前記溝でつながっていることを特徴としている。本発明の例におけるこのような溝と窪みの深さの関係は、溝によって互いに接続されている窪みに、例えばイクラを収納した場合、イクラの卵油がこの溝を伝わって、各窪み間を行き来することができ、卵油の多いイクラの卵油が卵油の少ないイクラにまわって、イクラの乾燥を防ぐ効果を発揮し、イクラが窪みの壁にくっついてしまったり、イクラが乾燥してしまうことがなく、常に餌としての良好な状態に保つことができる。また、この溝の効果は、この釣り餌収納具に、餌として、川虫などの虫を収納する場合にも、収納されている虫を良好な状態に保つ効果を発揮することができる。もちろん、溝によって互いに接続されている窪みに限らず、各窪みが独立になっている窪みの場合や、２個や３個といった少数の窪みが溝によって接続されている場合にも、餌の状態を良好に保つ効果を発揮することができる。
【手続補正１２】
【補正対象書類名】明細書
【補正対象項目名】００３５
【補正方法】変更
【補正の内容】
【００３５】
本発明の例としての、発明４〜１１を展開した第１２の発明（以下、発明１２ともいう）の釣り餌収納具は、発明４〜１１のいずれかに記載の釣り餌収納具において、前記溝に沿って測った長さ寸法を溝の長さと定義して、前記溝の長さが１ｍｍ以上であることを特徴としている。
【手続補正１３】
【補正対象書類名】明細書
【補正対象項目名】００３６
【補正方法】変更
【補正の内容】
【００３６】
本発明の例としての、発明４〜１２を展開した第１３の発明（以下、発明１３ともいう）の釣り餌収納具は、発明４〜１２のいずれかに記載の釣り餌収納具において、前記溝の長さが当該窪みの外側において１ｍｍ以上あることを特徴としている。
【手続補正１４】
【補正対象書類名】明細書
【補正対象項目名】００３７
【補正方法】変更
【補正の内容】
【００３７】
本発明の例としての、発明４〜１３を展開した第１４の発明（以下、発明１４ともいう）の釣り餌収納具は、発明４〜１３のいずれかに記載の釣り餌収納具において、少なくとも一部の前記溝が、その形成部において、そしてケース本体の肉部において、当該溝と前記ケース本体の該溝が形成されている周辺の表面とのなす角度が当該窪みと前記ケース本体の一部の表面とのなす角度よりも大きい状態に、すなわち当該溝の方が当該窪みよりも緩やかな傾斜になるように形成されていることを特徴としている。これにより、釣り餌に釣り針を刺す場合に、釣り針を扱いやすいなどの利点がある。
【手続補正１５】
【補正対象書類名】明細書
【補正対象項目名】００３８
【補正方法】変更
【補正の内容】
【００３８】
本発明の例としての、発明４〜１４を展開した第１５の発明（以下、発明１５ともいう）の釣り餌収納具は、発明４〜１４のいずれかに記載の釣り餌収納具において、前記溝が２カ所以上設けられていることを特徴としている。
【手続補正１６】
【補正対象書類名】明細書
【補正対象項目名】００３９
【補正方法】変更
【補正の内容】
【００３９】
本発明の例としての、発明１５を展開した第１６の発明（以下、発明１６ともいう）の釣り餌収納具は、発明１５に記載の釣り餌収納具において、前記溝が、当該窪みの垂直上方から見て放射状に設けられていることを特徴としている。
【手続補正１７】
【補正対象書類名】明細書
【補正対象項目名】００４０
【補正方法】変更
【補正の内容】
【００４０】
本発明の例としての、発明４〜１６を展開した第１７の発明（以下、発明１７ともいう）の釣り餌収納具は、発明４〜１６のいずれかに記載の釣り餌収納具において、前記ケース本体のコーナー部に設けられている窪みに、前記ケース本体の上方から見て前記ケース本体の縦方向と横方向の間の方向すなわち斜め方向でかつ前記ケース本体のコーナー方向から前記窪みの中心方向に向かう前記溝が少なくとも１つ設けられていることを特徴としている。これにより、ケース本体のコーナー部の方から順次餌を使用していけば、どの餌も釣り針に容易に取り付けることができる。
【手続補正１８】
【補正対象書類名】明細書
【補正対象項目名】００４１
【補正方法】変更
【補正の内容】
【００４１】
本発明の例としての、発明４〜１７を展開した第１８の発明（以下、発明１８ともいう）の釣り餌収納具は、発明４〜１７のいずれかに記載の釣り餌収納具において、前記窪みの深さ方向の断面の輪郭形状が、当該ケース本体上方から当該窪みの底部の方向に当該底部を含めて切った断面において、円形の一部、三角形、四角形の一部、五角形以上の多角形の一部の１種類または２種類以上の形状を組み合わせた形状であることを特徴としている。円形の場合はイクラのような丸い餌に好適で、三角形の場合は高密度に配置することができ、四角形、多角形の場合は、餌の状態によって釣り針に餌を取り付けるときの餌の押さえが良くなるなどの特徴がある。
【手続補正１９】
【補正対象書類名】明細書
【補正対象項目名】００４２
【補正方法】変更
【補正の内容】
【００４２】
本発明の例としての、発明１８を展開した第１９の発明（以下、発明１９ともいう）の釣り餌収納具は、発明１８に記載の釣り餌収納具において、前記窪みの深さ方向の断面の輪郭形状が、その底部近傍において、平坦部もしくはＲ部を有する形状であることを特徴としている。
【手続補正２０】
【補正対象書類名】明細書
【補正対象項目名】００４３
【補正方法】変更
【補正の内容】
【００４３】
本発明の例としての、発明４〜１９を展開した第２０の発明（以下、発明２０ともいう）の釣り餌収納具は、発明４〜１９のいずれかに記載の釣り餌収納具において、前記窪みが設けられている前記ケース本体の表面の形状が、前記窪みの開口部を除いて平面状であることを特徴としている。
【手続補正２１】
【補正対象書類名】明細書
【補正対象項目名】００４４
【補正方法】変更
【補正の内容】
【００４４】
本発明の例としての、発明４〜２０を展開した第２１の発明（以下、発明２１ともいう）の釣り餌収納具は、発明４〜２０のいずれかに記載の釣り餌収納具において、前記窪みが前記ケース本体の一部に縦方向あるいは横方向あるいは斜め方向の少なくとも一つの方向に所定間隔で配列されていることを特徴としている。これにより、取扱い易く、安価で、小型の釣り餌収納具を実現することができる。
【手続補正２２】
【補正対象書類名】明細書
【補正対象項目名】００４５
【補正方法】変更
【補正の内容】
【００４５】
本発明の例としての、発明４〜２０を展開した第２２の発明（以下、発明２２ともいう）の釣り餌収納具は、発明４〜２０のいずれかに記載の釣り餌収納具において、前記窪みの少なくとも一部の窪みは、隣り合った窪み同士の境界が不連続に形成されていることを特徴としている。これは、後述のシールの密閉性を確保するのに好ましい。
【手続補正２３】
【補正対象書類名】明細書
【補正対象項目名】００４６
【補正方法】変更
【補正の内容】
【００４６】
本発明の例としての、発明４〜２２を展開した第２３の発明（以下、発明２３ともいう）の釣り餌収納具は、発明４〜２２のいずれかに記載の釣り餌収納具において、少なくとも１つの前記蓋が、以下においてシールと定義するシート状で前記ケース本体の一部に貼り付けることができるシールであることを特徴としている。
【手続補正２４】
【補正対象書類名】明細書
【補正対象項目名】００４７
【補正方法】変更
【補正の内容】
【００４７】
本発明の例としての、発明２３を展開した第２４の発明（以下、発明２４ともいう）の釣り餌収納具は、発明２３に記載の釣り餌収納具において、前記シールと前記ケース本体の一部の構造が、前記シールを前記ケース本体の一部に、少なくとも２回繰り返して着脱可能に貼り付けることができるようなシールと構造であることを特徴としている。
【手続補正２５】
【補正対象書類名】明細書
【補正対象項目名】００４８
【補正方法】変更
【補正の内容】
【００４８】
本発明の例としての、発明２３または２４を展開した第２５の発明（以下、発明２５ともいう）の釣り餌収納具は、発明２３または２４に記載の釣り餌収納具において、前記シールが、前記窪みが設けられている前記ケース本体の一部に設けられている前記シールを剥がすのに用いることができる手がかり部分を除いて、前記ケース本体の一部全面に貼り付けられていることを特徴としている。シールを繰り返し着脱して使うときに、収納具を良好な状態で維持することができる。
【手続補正２６】
【補正対象書類名】明細書
【補正対象項目名】００４９
【補正方法】変更
【補正の内容】
【００４９】
本発明の例としての、発明２３または２４を展開した第２６の発明（以下、発明２６ともいう）の釣り餌収納具は、発明２３または２４に記載の釣り餌収納具において、前記シールは、前記窪みが設けられている前記ケース本体の全面に貼り付けられていることを特徴としている。釣り餌収納具の密閉性を高めるのに好適である。
【手続補正２７】
【補正対象書類名】明細書
【補正対象項目名】００５０
【補正方法】変更
【補正の内容】
【００５０】
本発明の例としての、発明２３〜２６を展開した第２７の発明（以下、発明２７ともいう）の釣り餌収納具は、発明２３〜２６のいずれかに記載の釣り餌収納具において、前記シールが少なくとも水に対する密閉性を有するシールであることを特徴としている。これは、特にイクラのような餌の品質保持に好適である。
【手続補正２８】
【補正対象書類名】明細書
【補正対象項目名】００５１
【補正方法】変更
【補正の内容】
【００５１】
本発明の例としての、発明２３〜２７を展開した第２８の発明（以下、発明２８ともいう）の釣り餌収納具は、発明２３〜２７のいずれかに記載の釣り餌収納具において、前記シールが通気性のシールであることを特徴としている。本発明の例としての、発明２３〜２６を展開した第２９の発明（以下、発明２９ともいう）の釣り餌収納具は、発明２３〜２６のいずれかに記載の釣り餌収納具において、前記シールに、収納されている虫の呼吸に役立つ空気が通る穴が開けられていることを特徴としている。シールを通気性にすることにより、生き餌を収納するのに好適な収納具を得ることができる。
【手続補正２９】
【補正対象書類名】明細書
【補正対象項目名】００５２
【補正方法】変更
【補正の内容】
【００５２】
本発明の例としての、発明１〜２８を展開した第３０の発明（以下、発明３０ともいう）の釣り餌収納具は、発明１〜２８のいずれかに記載の釣り餌収納具において、前記釣り餌収納具の前記ケース本体と蓋の少なくとも一方の少なくとも一方向に、前記ケース本体を、または前記シールを、または前記ケース本体と前記シールをともに、それぞれ他の部分から切り離すことができるミシン目をつけたことを特徴としている。
【手続補正３０】
【補正対象書類名】明細書
【補正対象項目名】００５３
【補正方法】変更
【補正の内容】
【００５３】
本発明の例としての、発明３０を展開した第３１の発明（以下、発明３１ともいう）の釣り餌収納具は、発明３０に記載の釣り餌収納具において、前記ミシン目が前記釣り餌収納具の縦方向あるいは横方向の少なくとも一方につけられていることを特徴としている。
【手続補正３１】
【補正対象書類名】明細書
【補正対象項目名】００５４
【補正方法】変更
【補正の内容】
【００５４】
本発明の例としての、発明３１を展開した第３２の発明（以下、発明３２ともいう）の釣り餌収納具は、発明３１に記載の釣り餌収納具において、前記ミシン目が、前記釣り餌収納具の縦方向あるいは横方向の一列毎あるいは複数列毎に前記シールと前記ケース本体の部分のいずれかあるいは双方を切り離すことができるようにつけられていることを特徴とする釣り餌収納具。
【手続補正３２】
【補正対象書類名】明細書
【補正対象項目名】００５６
【補正方法】変更
【補正の内容】
【００５６】
本発明の例としての、発明１〜３２を展開した第３３の発明（以下、発明３３ともいう）の釣り餌収納具は、発明１〜３２のいずれかに記載の釣り餌収納具において、必要に応じて、少なくとも一部の前記窪みの内部に、釣り餌の乾燥を調整することができる保湿材を配置できるようにしたことを特徴としている。これにより、餌の種類によって、その保存状態を良くすることができる。
【手続補正３３】
【補正対象書類名】明細書
【補正対象項目名】００５７
【補正方法】変更
【補正の内容】
【００５７】
本発明の例としての、発明１〜３３を展開した第３４の発明（以下、発明３４ともいう）の釣り餌収納具は、発明１〜３３のいずれかに記載の釣り餌収納具において、少なくとも一部の前記窪みの内部に保温材を配置したことを特徴としている。たとえば、餌が虫の場合、前記保湿剤の効果に加えて、保温剤の効果が餌の良好な状態をさらに高めることができる。
【手続補正３４】
【補正対象書類名】明細書
【補正対象項目名】００５８
【補正方法】変更
【補正の内容】
【００５８】
本発明の例としての、発明１〜３４を展開した第３５の発明（以下、発明３５ともいう）の釣り餌収納具は、発明１〜３４のいずれかに記載の釣り餌収納具において、前記釣り餌収納具に収納する餌がイクラであることを特徴としており、特に大きな効果を奏することができるものである。
【手続補正３５】
【補正対象書類名】明細書
【補正対象項目名】００５９
【補正方法】変更
【補正の内容】
【００５９】
本発明の例としての、発明１〜３４を展開した第３６の発明（以下、発明３６ともいう）の釣り餌収納具は、発明１〜３４のいずれかに記載の釣り餌収納具において、蓋、シールに穴を設けるなどの工夫によって、前記釣り餌収納具に収納する餌をブドウ虫などの虫にすることができることを特徴としている。
【手続補正３６】
【補正対象書類名】明細書
【補正対象項目名】００６０
【補正方法】変更
【補正の内容】
【００６０】
本発明の例としての、発明１〜３６を展開した第３７の発明（以下、発明３７ともいう）の釣り餌収納具は、発明１〜３６のいずれかに記載の釣り餌収納具において、前記ケース本体が開閉可能な蓋を有するかあるいはそのような容器に収納されていることを特徴としている。
【手続補正３７】
【補正対象書類名】明細書
【補正対象項目名】００６１
【補正方法】変更
【補正の内容】
【００６１】
本発明の例としての、発明１〜３７を展開した第３８の発明（以下、発明３８ともいう）の釣り餌収納具は、発明１〜３７のいずれかに記載の釣り餌収納具において、少なくとも１つの前記蓋が窓を有しており、前記窓はその設けられている蓋の当該窓以外の部分とは独立に開閉することができるように構成されていることを特徴としている。
【手続補正３８】
【補正対象書類名】明細書
【補正対象項目名】００６２
【補正方法】変更
【補正の内容】
【００６２】
本発明の例としての、発明１〜３８を展開した第３９の発明（以下、発明３９ともいう）の釣り餌収納具は、発明１〜３８のいずれかに記載の釣り餌収納具において、前記開閉可能な蓋もしくは窓が、１個または複数個の前記窪みを密閉することができかつ開閉可能に設けられていることを特徴としている。
【手続補正３９】
【補正対象書類名】明細書
【補正対象項目名】００６３
【補正方法】変更
【補正の内容】
【００６３】
本発明の例としての、発明３８または３９を展開した第４０の発明（以下、発明４０ともいう）の釣り餌収納具は、発明３８または３９に記載の釣り餌収納具において、少なくとも１つの前記蓋または窓は、その閉じている状態で当該ケース本体に設けられた縦または横方向の１列分の前記窪みを覆うことができ、かつ、開閉可能に設けられていることを特徴としている。
【手続補正４０】
【補正対象書類名】明細書
【補正対象項目名】００６４
【補正方法】変更
【補正の内容】
【００６４】
本発明の例としての、発明３８〜４０を展開した第４１の発明（以下、発明４１ともいう）の釣り餌収納具は、発明３８〜４０のいずれかに記載の釣り餌収納具において、少なくとも１つの前記蓋または窓は、当該ケース本体に設けられた一個の前記窪みを覆うことができ、かつ、開閉可能に設けられていることを特徴としている。
【手続補正４１】
【補正対象書類名】明細書
【補正対象項目名】００６６
【補正方法】変更
【補正の内容】
【００６６】
本発明の例としての、発明１〜４１を展開した第４２の発明（以下、発明４２ともいう）の釣り餌収納具は、発明１〜４１のいずれかに記載の釣り餌収納具において、前記ケース本体の外形形状が円柱状または多角柱状またはそのいずれかの一部を切り取った形状であることを特徴としている。
【手続補正４２】
【補正対象書類名】明細書
【補正対象項目名】００６７
【補正方法】変更
【補正の内容】
【００６７】
本発明の例としての、発明１〜４２を展開した第４３の発明（以下、発明４３ともいう）の釣り餌収納具は、発明１〜４２のいずれかに記載の釣り餌収納具において、前記釣り餌収納具は、前記ケース本体の中心付近を通ると想定した仮想の軸を回転中心にして回転させることができる蓋を有していることを特徴としている。
【手続補正４３】
【補正対象書類名】明細書
【補正対象項目名】００６８
【補正方法】変更
【補正の内容】
【００６８】
本発明の例としての、発明１〜４３を展開した第４４の発明（以下、発明４４ともいう）の釣り餌収納具は、発明１〜４３のいずれかに記載の釣り餌収納具において、前記釣り餌収納具は、前記ケース本体の必要部分を前記蓋から露出させることができるように、前記ケース本体と前記蓋の相対的位置関係を変えることができるように構成されていることを特徴としている。
【手続補正４４】
【補正対象書類名】明細書
【補正対象項目名】００６９
【補正方法】変更
【補正の内容】
【００６９】
本発明の例としての、発明１〜４４を展開した第４５の発明（以下、発明４５ともいう）の釣り餌収納具は、発明１〜４４のいずれかに記載の釣り餌収納具において、前記釣り餌収納具が、前記蓋から露出させた前記ケース本体を、前記ケース本体の前記蓋から露出されていない部分から切り離すことができるように構成されていることを特徴としている。
【手続補正４５】
【補正対象書類名】明細書
【補正対象項目名】００７１
【補正方法】変更
【補正の内容】
【００７１】
本発明の例としての、発明１〜４５を展開した第４６の発明（以下、発明４６ともいう）の釣り餌収納具は、発明１〜４５のいずれかに記載の釣り餌収納具において、前記ケース本体と蓋のいずれか一方または双方が、透明あるいは半透明であることを特徴としている。このようにすることによって、収納具の中の餌の状態を蓋を開けずに確認することもできる。